(57)【要約】【課題】顧客にアピールしやすく、かつ収納時には小型化することができる展示装置を提供する。【解決手段】商品棚を備えた本体部と、商品棚を備え、本体部に略上下方向の軸を中心に回動可能に支持されるウイング部と、を有し、商品展示時には、ウイング部を前記本体に対して展開でき、展示装置収納時には、ウイング部を本体に対して閉じることができる。【選択図】  図２
2004194931.tif 000002
【特許請求の範囲】
【請求項１】
商品を展示するための展示装置であって、
商品棚を備えた本体部と、
商品棚を備え、前記本体部に略上下方向の軸を中心に回動可能に支持されるウイング部と、を有し、
商品展示時には、前記ウイング部を前記本体に対して展開でき、
前記展示装置収納時には、前記ウイング部を前記本体に対して閉じることができることを特徴とする展示装置。
【請求項２】
前記商品は自動車用タイヤである請求項１記載の展示装置。
【請求項３】
前記ウイング部は、前記本体部の左右に１つずつ配置されている請求項１又は２記載の展示装置。
【請求項４】
前記商品棚の数を変更可能な請求項１乃至３のいずれか１項記載の展示装置。
【請求項５】
前記商品棚の位置を変更可能な請求項１乃至４のいずれか１項記載の展示装置。
【請求項６】
鉛直方向において、前記ウイング部の上下方向の軸は、前記本体部に対して上部より下部が前方に位置するように傾斜して配置されている請求項１乃至５のいずれか１項記載の展示装置。
【発明の詳細な説明】
【０００１】
【技術分野】
本発明は商品の展示装置に関し、特に自動車用タイヤの展示装置に関する。
【０００２】
【従来技術及びその問題点】
従来の自動車用タイヤの展示装置には、単にタイヤを積み上げただけのものや、展示棚にタイヤを複数列配置したものがあった。
【０００３】
しかし、単にタイヤを積み上げただけのものは、多数のタイヤを陳列することができるものの、顧客にタイヤの特徴をアピールしづらいものであった。一方、展示棚にタイヤを複数列配置したものは、タイヤの特徴が分かりやすいという長所があるが、多数のタイヤを陳列する場合は、展示棚が大型化するため閉店時に店内に収納することが困難であって、商品であるタイヤを店外に放置するか、時間と労力を費やしてタイヤを展示棚から下ろさなければならなかった。
【０００４】
【特許文献】
特開２０００−１２６０１１号公報
【０００５】
【発明の目的】
そこで本発明の目的は、顧客にアピールしやすく、かつ収納時には小型化することができる展示装置を提供することにある。
【０００６】
【発明の概要】
上記問題点を解決するために、本発明の展示装置においては、商品棚を備えた本体部と、商品棚を備え、本体部に略上下方向の軸を中心に回動可能に支持されるウイング部と、を有し、商品展示時には、ウイング部を前記本体に対して展開でき、展示装置収納時には、ウイング部を本体に対して閉じることができることを特徴としている。
【０００７】
本発明の展示装置に適用可能な商品としては、例えば自動車用タイヤがある。
【０００８】
ウイング部は、前記本体部の左右に１つずつ配置することができる。また、商品棚の数及び商品棚の位置は変更可能である。
【０００９】
鉛直方向において、ウイング部の上下方向の軸は、本体部に対して上部より下部が前方に位置するように傾斜して配置されていることが好ましい。
【００１０】
【発明の実施形態】
以下、本発明にかかる実施形態を図面を参照しつつ詳しく説明する。本発明を自動車用タイヤについて適用した本実施形態にかかる展示装置１は、図１に示すように、本体部１０と、展開した状態において本体部１０の左右両側に配置される左ウイング部５０及び右ウイング部８０と、を有する。
【００１１】
（１）本体部１０の構成
本体部１０は、図２に示すように、下部に配置される管状の水平支持部１１、１２と、水平支持部１１、１２にそれぞれ固定される略コの字状の鉛直方向支持部１３、１４と、鉛直方向支持部１３、１４上に固定される略矩形のテント部１５と、鉛直方向支持部１３、１４に固定される略矩形の展示品支持部１７、１８、１９、２０と、鉛直方向支持部１３、１４をそれぞれ補強するための補強部材２１、２２と、左ウイング部５０及び右ウイング部８０をそれぞれ回動可能に支持する下方の回動支持板２３、２４及び上方の軸穴部２５、２６と、本体部１０を移動可能とする、水平支持部１１、１２の前後にそれぞれ設けたキャスタ部２７、２８、２９、３０と、を有する。
【００１２】
水平支持部１１、１２は、同一長さ、同一外径を有する管状部材であって、同一水平面内において互いに平行に配置されている。
【００１３】
鉛直方向支持部１３は、同一長さ、同一外径を有する管状部材が平行に配置された脚部１３ａ、１３ｂと、脚部１３ａと脚部１３ｂに対して垂直に固定されているテント支持部１３ｃとを有している。脚部１３ａ、１３ｂは、水平支持部１１と直交するようにそれぞれ鉛直方向に配置され、水平支持部１１の内面にネジ止めによって固定されている。さらに、鉛直方向支持部１３と水平支持部１１との固定強度を上げるために、長辺の一方が水平支持部１１に固定された略長方形状の補強部材２１の両端部に脚部１３ａ及び脚部１３ｂが固定されている。また、テント支持部１３ｃは平行に配置されている水平支持部１１よりも短く、かつ、展示装置１の後方側に配置されているため、上方から見るとテント支持部１３ｃの前方先端より水平支持部１１の前方先端の方が前方に出ている。
【００１４】
鉛直方向支持部１３と平行に配置される鉛直方向支持部１４は、鉛直方向支持部１３と同様に、脚部１４ａ、１４ｂと、テント支持部１４ｃとを有しており、脚部１４ａ、１４ｂは、水平支持部１２の内面にネジ止めによって固定されている。補強部材２２の両端部に脚部１４ａ、１４ｂが固定されている点、及び、テント支持部１４ｃが水平支持部１２よりも短く、かつ、展示装置１の後方側に配置されているため、上方から見るとテント支持部１４ｃの前方先端より水平支持部１２の前方先端の方が前方に出ている点も、鉛直方向支持部１３と同様である。
【００１５】
矩形の枠に布地を張ったテント部１５は、テント支持部１３ｃ、１４ｃに対してネジ止めすることによって固定される。また、テント部１５の前側部材１５ａには商品情報などを表示するための情報表示板１６をネジ止め固定することができる。
【００１６】
略矩形の展示品支持部（タイヤ載置部）１７、１８は、同一形状であって、同一の鉛直面内において長手方向が水平になるように、上側が展示品支持部１７、下側が展示品支持部１８として所定間隔をあけて、並んで配置される。このように配置した展示品支持部１７、１８は、その左右の短辺部１７ａ、１８ａ及び短辺部１７ｂ、１８ｂをそれぞれ脚部１３ａ及び脚部１４ａにネジ止めして固定される。
【００１７】
展示品支持部１７、１８と同一形状の展示品支持部１９、２０は、展示品支持部１７、１８と同様に、上側が展示品支持部１９、下側が展示品支持部２０として並んで配置される。その左右の短辺部１９ａ、２０ａ及び短辺部１９ｂ、２０ｂをそれぞれ脚部１３ｂ及び脚部１４ｂにネジ止めして固定される。
【００１８】
展示品支持部１９、２０はそれぞれ鉛直方向において、展示品支持部１７、１８に対応する位置に配置される。なお、展示品支持部１７、１８、１９及び２０それぞれが構成する面を水平方向に配置して、展示品支持部１７、１８、１９及び２０それぞれを商品棚として構成しても良い。
【００１９】
回動支持板２３は、半円形の基板２３ａと、略長方形形状の右ウイング部支持板２３ｂと、を有している。この右ウイング部支持板２３ｂは、基板２３ａの直線部分に沿って基板２３ａに対して、例えば９７度傾けて設けられ、中央の切り欠き部２３ｃを有する。回動支持板２３は、水平支持部１１の前端部上面に固定されており、水平支持部１１には切り欠き部２３ｃに対応する位置に貫通した軸穴部１１ｂが設けられている。なお、基板２３ａと右ウイング部支持板２３ｂとのなす角度は９０度を超え、１３５度以下の任意の角度を選択可能であり、角度の変更はあらかじめ所定角度に設定された回動支持板２３に交換することによって行うことができる。
【００２０】
さらに、図２（ｂ）に示すように、半円形の基板２３ａ、２４ａには、基板２３ａ、２４ａよりも径がやや小さい仮想同心円２３ｄ、２４ｄ上に等角度間隔に貫通した６つの軸穴部２３ｅ１〜２３ｅ６（２４ｅ１〜２４ｅ６）が形成されている。図２（ｂ）では、軸穴部は仮想同心円２３ｄ、２４ｄに６点設けてあるが、その数は任意である。また、仮想同心円２３ｄ、２４ｄの径も任意とすることが可能である。
【００２１】
回動支持板２３と同様に、回動支持板２４は、半円形の基板２４ａと、略長方形形状の左ウイング支持板２４ｂとを有している。この左ウイング支持板２４ｂは、基板２４ａの直線部分に沿って基板２４ａに対して９７度傾けて設けられ、中央の切り欠き部２４ｃを有する。回動支持板２４は、水平支持部１２の前端部上面に固定されており、水平支持部１２のうち切り欠き部２４ｃに対応する位置には貫通した軸穴部１２ｂが設けられている。
【００２２】
テント支持部１３ｃ、１４ｃの前方端部にはそれぞれ軸穴部２５、２６が設けられており、それぞれ、軸穴部１１ｂ及び右ウイング部支持板２３ｂ、並びに、軸穴部１２ｂ及び左ウイング部支持板２４ｂと共働して、左ウイング部５０及び右ウイング部８０を回動可能に支持することができる。
【００２３】
また、テント支持部１３ｃ、１４ｃの前方端部の下面には、軸穴部２５、２６のそれぞれに切り欠き部を対応させて基板２３ａ、２４ａと同一形状の半円形の基板（不図示）を配置することが可能である。この基板においては、基板２３ａ、２４ａと同様に、基板よりも径がやや小さい仮想同心円上に等角度間隔に貫通した６つの軸穴部が形成されている。軸穴部の数が任意である点及び仮想同心円の径が任意である点も基板２３ａ、２４ａと同様である。
【００２４】
以上のように本体部１０を構成することによって、長辺部１７ｃ、１７ｄ、１８ｃ及び１８ｄ、並びに、これらに対応する位置に配置された長辺部１９ｃ、１９ｄ、２０ｃ、２０ｄの長辺により４段のタイヤ搭載用商品棚が形成される。タイヤは、図１又は図３のようなレイアウトが可能である。もちろん、展示品の大きさやレイアウトに応じて、展示品支持部１７、１８、１９及び２０の位置、数、及びサイズを任意に変更可能である。
【００２５】
例えば展示品支持部１７を短辺部１７ａ、１７ｂと長辺部１７ｃ及び１７ｄの４つに分解できるように、本体部１０の全構成部材はばらばらに分解することができる。このため、展示装置１の運搬時には全構成部材をコンパクトに収納、運搬することができる。
【００２６】
（２）左ウイング部５０及び右ウイング部８０の構成
図２及び図４に示すように、左ウイング部５０及び右ウイング部８０は略矩形の同一形状の枠体であって、それぞれ、水平支持部１１又は水平支持部１２に対して所定の角度（９７度）だけ傾けて、テント支持部１３ｃ及び水平支持部１１、又は、テント支持部１４ｃ及び水平支持部１２に回動可能に支持されている。基板２３ａと左ウイング支持板２３ｂ又は基板２４ａと左ウイング支持板２４ｂとのなす角度に対応させている。
【００２７】
本体部１０の向かって左側に配置される左ウイング部５０には、その長手方向において等間隔に商品棚としての展示品支持部（タイヤ支持枠）５２、５３、５４及び５５が配置される。展示品支持部５２、５３、５４及び５５は、略矩形の同一形状の枠体からなり、それぞれが構成する面が左ウイング部５０の長辺部５０ａ及び５０ｂに対して垂直となるように、対角線上の２点が左ウイング部５０の長辺部５０ａ及び長辺部５０ｂにネジ止め固定されている。
【００２８】
左ウイング部５０の長辺部５０ａの上側端部及び下側端部には、それぞれ嵌合部５６及び嵌合部５７が設けられている。嵌合部５６は、長辺部５０ａから垂直外方に延びる腕部５６ａと、腕部５６ａから垂直上方に延びる軸ピン５６ｂとを備える。一方、嵌合部５７は、長辺部５０ａから垂直外方に延びる腕部５７ａと、腕部５６ａから垂直下方に延びる軸ピン５７ｂとを備えている。軸ピン５６ｂは軸穴部２５に、軸ピン５７ｂは軸穴部１１ｂにそれぞれ回動可能に嵌合可能である。
【００２９】
本体部１０の向かって右側に配置される右ウイング部８０には、左ウイング部５０と同様に、その長手方向において等間隔に商品棚としての展示品支持部（タイヤ支持枠）８２、８３、８４及び８５が配置される。展示品支持部８２、８３、８４及び８５は、略矩形の同一形状の枠体からなり、それぞれが構成する面が右ウイング部８０の長辺部８０ａ及び８０ｂに対して垂直となるように、対角線上の２点が右ウイング部８０の長辺部８０ａ及び長辺部８０ｂにネジ止め固定されている。
【００３０】
右ウイング部８０の長辺部８０ａの上側端部及び下側端部には、それぞれ嵌合部８６及び嵌合部８７が設けられている。嵌合部８６は、長辺部８０ａから垂直外方に延びる腕部８６ａと、腕部８６ａから垂直上方に延びる軸ピン８６ｂとを備える。一方、嵌合部８７は、長辺部８０ａから垂直外方に延びる腕部８７ａと、腕部８６ａから垂直下方に延びる軸ピン８７ｂとを備えている。軸ピン８６ｂは軸穴部２６に、軸ピン８７ｂは軸穴部１２ｂにそれぞれ回動可能に嵌合可能である。
【００３１】
左右のウイング部５０及び８０の全構成部材は、ばらばらに分解することができるため、展示装置１の運搬時には全構成部材をコンパクトに収納、運搬することができる。
【００３２】
左ウイング部５０、嵌合部５６及び嵌合部５７は一平面上に配置されており、左ウイング部５０の上側短辺部５０ｃと腕部５６ａの長さを合わせた長さは長辺部１７ｃの半分である。同様に、右ウイング部８０、嵌合部８６及び嵌合部８７は一平面上に配置されており、右ウイング部８０の上側短辺部８０ｃと腕部８６ａの長さを合わせた長さは長辺部１７ｃの半分である。このため、左ウイング部５０及び右ウイング部８０を本体部１０正面を覆うように閉じた場合において、両者が接触することがない。
【００３３】
（３）展示装置１の動作
展示装置１の使用時には、軸ピン５６ｂを軸穴部２５に、軸ピン５７ｂを軸穴部１１ｂに嵌合させ、かつ左ウイング部５０の下側短辺部５０ｄを右ウイング部支持板２３ｂで支持させることによって、左ウイング部５０を本体部１０に回動可能に支持させる。右ウイング部８０も同様に、軸ピン８６ｂを軸穴部２６に、軸ピン８７ｂを軸穴部１２ｂに嵌合させ、かつ右ウイング部８０の下側短辺部５０ｄを右ウイング部支持板２３ｂで支持させることによって、本体部１０に回動可能に支持させる。
【００３４】
軸穴部１１ｂ及び軸穴部１２ｂはそれぞれ軸穴部２５及び軸穴部２６より前方に設けられており、軸穴部１１ｂと軸穴部２５を結ぶ線、及び、軸穴部１２ｂと軸穴部２６を結ぶ線は、それぞれ水平支持部１１及び水平支持部１２に対して９７度傾けてある。このように、左ウイング部５０及び右ウイング部８０がそれぞれ水平支持部１１及び水平支持部１２に対して傾斜して配置されているため、図５のように収納のために閉じられた状態から左ウイング部５０及び右ウイング部８０を開くと、左ウイング支持板２３ｂ又は右ウイング支持板２４ｂに短辺部５０ｄ又は短辺部８０ｄが当接するまで、途中で止まることなく図１のように展示のために展開された状態となる。もちろん、展示装置１を閉じる場合も、展開された状態から途中で止まることなく、左ウイング部５０及び右ウイング部８０を閉じることができる。したがって、左ウイング部５０及び右ウイング部８０にもタイヤを収納することによって、大量のタイヤを見やすく配置することができる。すなわち、顧客にアピールしやすい展示を行うことができる。また、タイヤを積載したまま左ウイング部５０及び右ウイング部８０を閉じて収納できるため、収納時には店内に収納できる程度に小型化することができる。
【００３５】
さらに、軸ピン５７ｂ又は８７ｂを、それぞれ、半円形の基板２３ａ又は２４ａに形成された軸穴部２３ｅ１〜２３ｅ６又は２４ｅ１〜２４ｅ６の任意の一つに嵌合させることにより、左右のウイング部５０、８０の傾斜角度を変更することができる。加えて、５６ｂ及び８６ｂを、テント支持部１３ｃ、１４ｃの前方端部の下面に配置した基板（不図示）に設けた軸穴部に嵌合させ、かつ、その基板の６つの軸穴部のうち５６ｂ及び８６ｂが嵌合された軸穴部の位置は、軸穴部２３ｅ１〜２３ｅ６又は２４ｅ１〜２４ｅ６のうち軸ピン５７ｂ又は８７ｂが嵌合された軸穴部の位置に対応することとするとなおよい。このように構成することにより、展示場所の状況に応じてより効果的な展示形態をとることが可能である。
【００３６】
本発明について上記実施形態を参照しつつ説明したが、本発明は上記実施形態に限定されるものではなく、改良の目的又は本発明の思想の範囲内において改良又は変更が可能である。
【００３７】
【発明の効果】
以上説明したように、本発明によると、一度に大量の商品、例えばタイヤ、を見やすく配置することができるため、顧客にアピールしやすい展示を行うことができる。また、タイヤを積載したまま店内に収納できる程度に小型化することができる。
【図面の簡単な説明】
【図１】（ａ）は本発明の実施形態にかかる展示装置を展開したときの正面図であって、（ｂ）は側面図である。
【図２】（ａ）は本発明の実施形態にかかる展示装置の斜視図であって、（ｂ）は基板の平面図である。
【図３】（ａ）は本発明の実施形態にかかる展示装置の別のレイアウトの正面図であって、（ｂ）は側面図である。
【図４】（ａ）左ウイング部(右ウイング部)の構成を示す側面図であり、（ｂ）は上面図である。
【図５】（ａ）は本発明の実施形態にかかる展示装置を閉じたときの正面図であって、（ｂ）は側面図である。
【符号の説明】
１      展示装置
１０    本体部
５０    左ウイング部
８０    右ウイング部
１００  タイヤ
【図１】
2004194931.tif 000003
【図２】
2004194931.tif 000004
【図３】
2004194931.tif 000005
【図４】
2004194931.tif 000006
【図５】
2004194931.tif 000007